(57)【要約】【課題】完全性保護のないＲＡ更新手順又はアタッチ手順用のタイマを処理する装置及び方法を提供する。【解決手段】モバイル通信デバイスであって、サービスネットワークへの、及びサービスネットワークからの無線送受信を行う無線モジュール、及び前記無線モジュールを介して完全性保護のないアタッチ要求メッセージを前記サービスネットワークに送信し、前記無線モジュールを介して前記サービスネットワークから完全性保護のないアタッチメント応答（ａｔｔａｃｈｍｅｎｔ  ｒｅｓｐｏｎｓｅ）メッセージを受信し、且つ前記アタッチ応答メッセージに含まれた周期的ルーティングエリア（ＲＡ）更新タイマの第１値を直接用いる制御モジュールを含むモバイル通信デバイス。【選択図】図１
2011234372.tif 000002
【特許請求の範囲】
【請求項１】
モバイル通信デバイスであって、
サービスネットワークへの、及びサービスネットワークからの無線送受信を行う無線モジュール、及び
前記無線モジュールを介して完全性保護のないアタッチ要求メッセージを前記サービスネットワークに送信し、前記無線モジュールを介して前記サービスネットワークから完全性保護のないアタッチメント応答（ａｔｔａｃｈｍｅｎｔ  ｒｅｓｐｏｎｓｅ）メッセージを受信し、且つ前記アタッチ応答メッセージに含まれた周期的ルーティングエリア（ＲＡ）更新タイマの第１の値を直接用いる制御モジュールを含むモバイル通信デバイス。
【請求項２】
前記アタッチ応答メッセージは、アタッチ受付メッセージ又はアタッチ拒否メッセージであり、前記モバイル通信デバイスは、前記アタッチ受付メッセージに基づき、前記無線モジュールを介して前記サービスネットワークに更にアタッチする請求項１に記載のモバイル通信デバイス。
【請求項３】
前記制御モジュールは、前記無線モジュールを介して完全性保護のないＲＡ更新要求メッセージを更に送信し、前記無線モジュールを介して前記サービスネットワークから完全性保護のないＲＡ更新応答メッセージを受信する請求項２に記載のモバイル通信デバイス。
【請求項４】
前記ＲＡ更新応答メッセージは、前記周期的ＲＡ更新タイマのゼロ値を表示するか、又は前記周期的ＲＡ更新タイマの停止を表示し、前記制御モジュールは、前記ＲＡ更新応答メッセージに基づき、前記周期的ＲＡ更新タイマを更に停止する請求項３に記載のモバイル通信デバイス。
【請求項５】
前記サービスネットワークは、前記アタッチ応答メッセージに非ゼロ値又は非停止目的値を有する周期的ＲＡ更新タイマを設定する請求項１に記載のモバイル通信デバイス。
【請求項６】
前記第１の値を直接用いる前に、前記制御モジュールは、前記アタッチ応答メッセージが前記第１の値を含むかどうかを更に判定し、前記第１の値を直接用いるステップは、前記第１の値を含む前記アタッチ応答メッセージに応じて実行される請求項１に記載のモバイル通信デバイス。
【請求項７】
前記制御モジュールは、前記第１の値を含まないアタッチ応答メッセージに応じて前記周期的ＲＡ更新タイマの所定の非ゼロ値を更に直接用い、前記所定の非ゼロ値は、前記周期的ＲＡ更新タイマの既定値より小さい請求項６に記載のモバイル通信デバイス。
【請求項８】
前記制御モジュールは、前記ＲＡ更新応答メッセージが前記周期的ＲＡ更新タイマの第２の値を含むかどうかを更に判定し、前記第２の値を含まないアタッチ受付メッセージに応じて前記周期的ＲＡ更新タイマの所定の非ゼロ値を更に直接用い、前記所定の非ゼロ値は、前記周期的ＲＡ更新タイマの既定値より小さい請求項３に記載のモバイル通信デバイス。
【請求項９】
前記周期的ＲＡ更新タイマは、広帯域符号分割多元接続（ＷＣＤＭＡ）技術のＴ３３１２タイマである請求項１に記載のモバイル通信デバイス。
【請求項１０】
モバイル通信デバイスであって、
サービスネットワークへの、及びサービスネットワークからの無線送受信を行う無線モジュール、及び
前記無線モジュールを介して完全性保護のないアタッチ要求メッセージ又は完全性保護のないＲＡ更新要求メッセージを前記サービスネットワークに送信し、前記無線モジュールを介して前記サービスネットワークから完全性保護のないアタッチメント応答メッセージ、又は完全性保護のないＲＡ更新応答メッセージを受信し、且つ前記アタッチ応答メッセージ又は前記ＲＡ更新応答メッセージに含まれたＲＡ更新手順又はアタッチ手順に用いるリトライタイマ値を直接用いるか、又はリトライタイマの所定の非ゼロ値を直接用いる制御モジュールを含み、
前記所定の非ゼロ値は、前記リトライタイマの初期値より小さいモバイル通信デバイス。
【請求項１１】
前記ＲＡ更新手順又は前記アタッチ手順に用いる前記リトライタイマ値を直接用いる前に、前記制御モジュールは、前記リトライタイマ値を前記ＲＡ更新手順又は前記アタッチ手順の初期値と更に比較し、前記初期値より大きい又は前記初期値と同じ前記値に応じて、前記ＲＡ更新手順又は前記アタッチ手順に用いる前記リトライタイマの初期値を直接用い、前記ＲＡ更新手順又は前記アタッチ手順に用いる前記リトライタイマ値を直接用いるステップは、前記初期値より小さい値に応じて実行される請求項１０に記載のモバイル通信デバイス。
【請求項１２】
前記リトライタイマは、広帯域符号分割多元接続（ＷＣＤＭＡ）技術のＴ３３０２タイマである請求項１０に記載のモバイル通信デバイス。
【発明の詳細な説明】
【技術分野】
【０００１】
周期的ルーティングエリア（ｒｏｕｔｉｎｇ  ａｒｅａ；ＲＡ）更新タイマの処理に関し、特に、完全性保護のないＲＡ更新手順又はアタッチメント（ａｔｔａｃｈｍｅｎｔ）手順用のタイマを処理する装置及び方法に関するものである。
【背景技術】
【０００２】
一般のモバイル通信環境において、携帯電話、無線通信機能を有するラップトップ型コンピュータ、又は個人用携帯情報端末（ＰＤＡ）などを含むユーザー端末（ＵＥ）は、音声及び／又はデータ信号を１つ以上のサービスネットワークと通信することができる。ユーザー端末とサービスネットワーク間の無線通信は、例えば、グローバルシステムフォーモバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎｓ；ＧＳＭ）技術、汎用パケット無線サービス（Ｇｅｎｅｒａｌ Ｐａｃｋｅｔ  Ｒａｄｉｏ  Ｓｅｒｖｉｃｅ；ＧＰＲＳ）技術、グローバル進化型高速データレート（Ｅｎｈａｎｃｅｄ  Ｄａｔａ  ｒａｔｅｓ  ｆｏｒ  Ｇｌｏｂａｌ  Ｅｖｏｌｕｔｉｏｎ；ＥＤＧＥ）技術、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ；ＷＣＤＭＡ）技術、符号分割多元接続２０００（Ｃｏｄｅ  Ｄｉｖｉｓｉｏｎ  Ｍｕｌｔｉｐｌｅ  Ａｃｃｅｓｓ  ２０００；ＣＤＭＡ  ２０００）技術、時分割同期符号多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ；ＴＤ−ＳＣＤＭＡ）技術、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ；ＷｉＭＡＸ）技術、及びロングタームエボリューション（Ｌｏｎｇ  Ｔｅｒｍ  Ｅｖｏｌｕｔｉｏｎ；ＬＴＥ）技術など種々の無線通信技術に準拠し得る。
【０００３】
３ＧＰＰ仕様ＴＳ２４．００８ｖ．９．２．０（以下仕様ＴＳ３３．１０２として称される）、３ＧＰＰ仕様ＴＳ３３．１０２ｖ．９．２．０（以下仕様ＴＳ３３．１０２として称される）、及び３ＧＰＰ仕様ＴＳ２３．１２２ｖ．９．２．０（以下仕様ＴＳ２３．１２２として称される）に準拠したＷＣＤＭＡ技術を例にとると、一般的なサービスでは、ユーザー端末とサービスネットワーク間の無線通信は、完全性保護及び／又は暗号化（ｃｉｐｈｅｒｉｎｇ）保護がオンの時、好ましく実行され得る。一方、緊急サービス又は何らかの他の状況の場合、完全性保護及び／又は暗号化保護は、ユーザー端末とサービスネットワーク間の無線通信に対して強制的（ｍａｎｄａｔｏｒｙ）ではない。言い換えれば、パケット交換（ＰＳ）のメッセージは、完全性保護及び／又は暗号化保護なしで送信され得る。この場合、周期的ＲＡ更新タイマ値を表示するＰＳのメッセージがサービスネットワークから受信されて、完全性保護のないＰＳメッセージが送信された場合、ユーザー端末は、周期的ＲＡ更新タイマの表示値、及びＲＡ更新又はアタッチ手順に用いるリトライタイマの表示値を用いない可能性があり、例えばユーザー端末の不確定行為、ユーザー端末とサービスネットワーク間の周期的ＲＡ更新タイマの不一致（ｉｎｃｏｎｓｉｓｔｅｎｃｙ）、周期的ＲＡ更新手順の不適切な延長、及び更には偽のサービスネットワークによる悪意のある動作などの問題が生じる可能性がある。
【発明の概要】
【発明が解決しようとする課題】
【０００４】
完全性保護のないＲＡ更新手順又はアタッチ手順用のタイマを処理する装置及び方法を提供する。
【課題を解決するための手段】
【０００５】
本発明の１つの態様において、無線モジュール及び制御モジュールを含むモバイル通信デバイスが提供される。無線モジュールは、サービスネットワークへの、及びサービスネットワークからの無線送受信を行う。制御モジュールは、無線モジュールを介して完全性保護のないアタッチ要求メッセージをサービスネットワークに送信し、無線モジュールを介してサービスネットワークから完全性保護のないアタッチメント応答（ａｔｔａｃｈｍｅｎｔ  ｒｅｓｐｏｎｓｅ）メッセージを受信する。また、制御モジュールは、アタッチ応答メッセージに含まれた周期的ルーティングエリア（ＲＡ）更新タイマの第１値を直接用いる。
【０００６】
本発明のもう１つの態様において、無線モジュール及び制御モジュールを含むモバイル通信デバイスが提供される。無線モジュールは、サービスネットワークへの、及びサービスネットワークからの無線送受信を行う。制御モジュールは、無線モジュールを介して完全性保護のないアタッチ要求メッセージ又は完全性保護のないＲＡ更新要求メッセージをサービスネットワークに送信し、無線モジュールを介してサービスネットワークから完全性保護のないアタッチメント応答（ａｔｔａｃｈｍｅｎｔ  ｒｅｓｐｏｎｓｅ）メッセージ、又は完全性保護のないＲＡ更新応答メッセージを受信する。また、制御モジュールは、アタッチ応答メッセージ又はＲＡ更新応答メッセージに含まれたＲＡ更新手順又はアタッチ手順に用いるリトライタイマ値を直接用いるか、又はリトライタイマの所定の非ゼロ値を直接用い、所定の非ゼロ値は、リトライタイマの初期値より小さい。
【０００７】
本発明の他の態様及び特徴は、完全性保護のないＲＡ更新手順又はアタッチ手順に用いるタイマを処理する装置と方法の特定の実施の形態の以下の説明を検討後は当業者により明白となるであろう。
【図面の簡単な説明】
【０００８】
本発明は、添付の図面と併せて後に続く詳細な説明と実施例を解釈することによって、より完全に理解されることができる。
【図１】本発明の実施の形態に基づくモバイル通信環境を示すブロック図である。
【図２】本発明の実施の形態に基づく成功したアタッチ手順を示すメッセージシーケンス図である。
【図３】本発明のもう１つの実施の形態に基づく成功したアタッチ手順を示すメッセージシーケンス図である。
【図４】本発明の実施の形態に基づく不成功のアタッチ手順を示すメッセージシーケンス図である。
【図５】本発明の実施の形態に基づく周期的ＲＡ更新手順を示すメッセージシーケンス図である。
【図６】本発明の実施の形態に基づく周期的ＲＡ更新手順を示すメッセージシーケンス図である。
【図７】本発明の実施の形態に基づく不成功な周期的ＲＡ更新手順を示すメッセージシーケンス図である。
【図８】本発明の実施の形態に基づくモバイル通信デバイスによって、完全性保護のないアタッチ手順中に周期的ＲＡ更新タイマを処理する方法を示す流れ図である。
【図９】本発明の実施の形態に基づくモバイル通信デバイスによって、完全性保護のないＲＡ更新手順又はアタッチ手順に用いるリトライタイマを処理する方法を示す流れ図である。
【発明を実施するための形態】
【０００９】
以下の説明は、本発明を実施するベストモードが開示されている。この説明は、本発明の一般原理を例示する目的のためのもので本発明を限定するものではない。３ＧＰＰ仕様は、本発明の精神の教示に用いられるものであり、本発明を限定するものではない。
【００１０】
図１は、本発明の実施の形態に基づくモバイル通信環境を示すブロック図である。モバイル通信環境１００において、モバイル通信デバイス１１０は、無線サービスを得るようにサービスネットワーク１２０に無線で接続される。サービスネットワーク１２０は、少なくとも１つの基地局（ｃｅｌｌｕｌａｒ  ｓｔａｔｉｏｎ、ｂａｓｅ  ｓｔａｔｉｏｎ、又はａｃｃｅｓｓ  ｓｔａｔｉｏｎ）１２１、少なくとも１つの制御ノード１２２、及びコアネットワーク１２３を含み、基地局１２１は、制御ノード１２２によって制御され、サービスネットワーク１２０の無線送受信の機能を提供する。制御ノード１２２及びコアネットワーク１２３は、サービスネットワーク１２０の２つの個別の構成要素として表示されているが、制御ノード１２２及びコアネットワーク１２３は、１つの単一の構成要素に組み込まれてもよく、本発明はこれを限定するものではない。モバイル通信デバイス１１０は、サービスネットワーク１２０への、及びサービスネットワーク１２０からの無線送受信の機能を行う無線モジュール１１１を含む。更に明確にするために、無線モジュール１１１は、ベースバンドユニット（図示されていない）及び無線周波数（ＲＦ）ユニット（図示されていない）を含んでもよい。ベースバンドユニットは、複数のハードウェアを含んで、アナログデジタル変換（ＡＤＣ）／デジタルアナログ変換（ＤＡＣ）、ゲイン調整、変調／復調、エンコーディング／デコーディングなどを含むベースバンド信号処理を行う。ＲＦユニットは、ＲＦ無線信号を受信して、受信したＲＦ無線信号をベースバンドユニットによって処理されるベースバンド信号に変換するか、又はベースバンドユニットからベースバンド信号を受信して、受信したベースバンド信号を後に送信されるＲＦ無線信号に変換し得る。ＲＦユニットは、無線周波数変換を行う複数のハードウェアデバイスも含み得る。例えば、ＲＦユニットは、ベースバンド信号を無線通信システムの無線周波数で振動するキャリアと乗算するミキサを含んでもよく、無線周波数は、ＷＣＤＭＡシステムに用いられる９００ＭＨｚ、１９００ＭＨｚ、又は２１００ＭＨｚであり得るか、又はＬＴＥシステムに用いられる９００ＭＨｚ、２１００ＭＨｚ、又は２．６ＧＨｚであり得るか、又は用いられている無線アクセス技術（ＲＡＴ）に対応するものでもよい。また、モバイル通信デバイス１１０は、無線モジュール１１１及び他の機能的な構成要素（例えばＭＭ１（マンマシンインターフェース）としての機能を果たすディスプレイユニット及び／又はキーパッドなど）、アプリケーションのプログラムコードを記憶する記憶装置、又は通信プロトコルなどの動作を制御する制御モジュール１１２を含む。
【００１１】
より具体的に言えば、制御モジュール１１２は、サービスネットワーク１２０とアタッチ手順及び周期的ＲＡ更新手順を実行するために、無線モジュール１１１を制御する。図２は、本発明の実施の形態に基づく成功したアタッチ手順を示すメッセージシーケンス図である。この実施の形態では、サービスネットワーク１２０は、ＷＣＤＭＡネットワークであり得、モバイル通信デバイス１１０は、ＴＳ２４．００８、ＴＳ３３．１０２、及びＴＳ２３．１２２仕様及び／又はＷＣＤＭＡ技術の他の関連した仕様に準拠したユーザー端末でもよい。また、モバイル通信デバイス１１０は、ＷＣＤＭＡ技術及び他の無線技術（例えばＧＳＭ技術）の仕様に準拠したユーザー端末でもよく、本発明はこれを限定するものではない。注意するのは、アタッチ手順は、モバイル通信デバイス１１０がオンにされた直後に、モバイル通信デバイス１１０をサービスネットワーク１２０に登録（ｒｅｇｉｓｔｅｒ）するように実行され、且つアタッチ手順は、完全性保護なしで実行される。アタッチ手順は、モバイル通信デバイス１１０がそこに加入者識別モジュール（ＳＩＭ）又は汎用加入者識別モジュール（ＵＳＩＭ）カードが挿入されていない、又は接続されていないのを検出した時、或いはサービスネットワーク１２０によって実行されるモバイル通信デバイス１１０の認証が成功しなかった時、完全性保護なしで実行され得る。アタッチ手順を開始するには、制御モジュール１１２は、無線モジュール１１１を介して完全性保護のないアタッチ要求（ＡＴＴＡＣＨ  ＲＥＱＵＥＳＴ）メッセージをサービスネットワーク１２０に送信する（ステップＳ２１０）。アタッチ要求メッセージは、モバイル通信デバイス１１０に関する登録情報を含み得る。具体的に言えば、アタッチ要求メッセージは、ユーザー端末がモバイル通信サービスのサービスネットワークでパケットデータセッションを開始することを望むことを示している。アタッチ要求メッセージを受けた時、サービスネットワーク１２０は、アタッチメント要求を確認し、次いで、完全性保護のないアタッチ受付（ＡＴＴＡＣＨ  ＡＣＣＥＰＴ）メッセージをモバイル通信デバイス１１０に返信する（ステップＳ２２０）。この実施の形態では、アタッチ受付メッセージは、モバイル通信デバイス１１０のためのアタッチメント構成（ａｔｔａｃｈｍｅｎｔ  ｃｏｎｆｉｇｕｒａｔｉｏｎ）に関する情報、周期的ＲＡ更新タイマＴ３３１２値、及びＲＡ更新手順又はアタッチ手順に用いるリトライタイマＴ３３０２値を含む。モバイル通信デバイス１１０が完全性保護のないアタッチ受付メッセージを受けた時、制御モジュール１１２は、周期的ＲＡ更新タイマＴ３３１２値がアタッチ受付メッセージに含まれるかどうかを判定する（ステップＳ２３０）。注意するのは、アタッチ手順は、オンにされた直後に実行され、アタッチ受付メッセージは、サービスネットワーク１２０から受信された第１のＰＳメッセージであることである。アタッチ受付メッセージに含まれている周期的ＲＡ更新タイマＴ３３１２値に応じて、ＷＣＤＭＡユーザー端末の従来の設計とは異なり、その値を存在しない、先に受信したＰＳメッセージからのもう１つの値と比較する代わりに、制御モジュール１１２は、アタッチ受付メッセージに含まれた周期的ＲＡ更新タイマＴ３３１２値を直接用いる（ステップＳ２４０）ため、モバイル通信デバイス１１０の動作が確定できないことがなくなる。
【００１２】
次いで、ＷＣＤＭＡユーザー端末の従来の設計とは異なり、１４分の長さの所定値をリトライタイマＴ３３０２に用いる代わりに、制御モジュール１１２は、アタッチ受付メッセージに含まれたＲＡ更新手順又はアタッチ手順に用いるリトライタイマＴ３３０２値を更に直接用いる（ステップＳ２５０）ため、モバイル通信デバイス１１０は、より早く次のＲＡ更新手順又は次のアタッチ手順を行い、モバイル通信サービスを得る機会を有することができる。また、ステップＳ２５０では、アタッチ受付メッセージに含まれたリトライタイマＴ３３０２値を直接用いる代わりに、制御モジュール１１２は、所定値を有するアタッチ受付メッセージに含まれたリトライタイマＴ３３０２値を比較し、リトライタイマＴ３３０２のより小さい値を有する１つを選択し得る。また更には、ステップＳ２５０では、アタッチ受付メッセージに含まれた値の代わりに、制御モジュール１１２は、リトライタイマＴ３３０２の所定の非ゼロ値を直接用いてもよく、所定の非ゼロ値は、初期値より小さく、確実により早く次のＲＡ更新手順又は次のアタッチ手順が行われるようにする。その後、モバイル通信デバイス１１０は、サービスネットワーク１２０に完全性保護のないアタッチ完了（ＡＴＴＡＣＨ  ＣＯＭＰＬＥＴＥ）メッセージを有するサービスネットワーク１２０に応じて、アタッチ受付メッセージの受信を確認し（ステップＳ２６０）、アタッチ手順が完了する。アタッチメント構成の詳細な説明に関しては、本発明の範囲外であり、簡易化のためここでは省略される。ＴＳ２４．００８、ＴＳ３３．１０２、及びＴＳ２３．１２２仕様並びに／又はＷＣＤＭＡ技術の他の関連する仕様を参照する。
【００１３】
図３は、本発明のもう１つの実施の形態に基づく成功したアタッチ手順を示すメッセージシーケンス図である。図２と同様に、アタッチ手順は、モバイル通信デバイス１１０によって、完全性保護のないアタッチ要求メッセージをサービスネットワーク１２０に送信する（ステップＳ２１０）し、完全性保護のないアタッチ要求メッセージをサービスネットワーク１２０から受信する（ステップＳ２２０）ことから開始される。この実施の形態において、アタッチ受付メッセージは、モバイル通信デバイス１１０のためのアタッチメント構成、及び周期的ＲＡ更新タイマＴ３３１２値のみに関する情報を含む。次いで、制御モジュール１１２は、周期的ＲＡ更新タイマＴ３３１２値がアタッチ受付メッセージに含まれるかどうかを判定する（ステップＳ２３０）。アタッチ受付メッセージに含まれていない周期的ＲＡ更新タイマＴ３３１２値に応じて、ＷＣＤＭＡユーザー端末の従来の設計とは異なり、制御モジュール１１２は、周期的ＲＡ更新タイマＴ３３１２の初期値を用いる代わりに、周期的ＲＡ更新タイマＴ３３１２の所定の非ゼロ値を直接用いる（ステップＳ３１０）。特に、所定の非ゼロ値は、周期的ＲＡ更新タイマＴ３３１２の初期値より小さい。所定の非ゼロ値を用いることで、モバイル通信デバイス１１０は、より早く次のＲＡ更新手順を行い、モバイル通信サービスを得る利点を与えられる。
【００１４】
次いで、ＷＣＤＭＡユーザー端末の従来の設計とは異なり、１４分の長さの所定値をリトライタイマＴ３３０２に用いる代わりに、制御モジュール１１２は、アタッチ受付メッセージに含まれたＲＡ更新手順又はアタッチ手順に用いるリトライタイマＴ３３０２値を更に直接用いる（ステップＳ３２０）ため、モバイル通信デバイス１１０は、より早く次のＲＡ更新手順又は次のアタッチ手順を行い、モバイル通信サービスを得る機会を有することができる。また、ステップＳ３２０では、アタッチ受付メッセージに含まれたリトライタイマＴ３３０２値を直接用いる代わりに、制御モジュール１１２は、所定値を有するアタッチ受付メッセージに含まれたリトライタイマＴ３３０２値を比較し、リトライタイマＴ３３０２のより小さい値を有する１つを選択し得る。また更には、ステップＳ３２０では、アタッチ受付メッセージに含まれた値の代わりに、制御モジュール１１２は、リトライタイマＴ３３０２の所定の非ゼロ値を直接用いてもよく、所定の非ゼロ値は、初期値より小さく、確実により早く次のＲＡ更新手順又は次のアタッチ手順が行われるようにする。その後、モバイル通信デバイス１１０は、サービスネットワーク１２０に完全性保護のないアタッチ完了（ＡＴＴＡＣＨ  ＣＯＭＰＬＥＴＥ）メッセージを有するサービスネットワーク１２０に応じて、アタッチ受付メッセージの受信を確認し（ステップＳ３３０）、アタッチ手順が完了する。アタッチメント構成の詳細な説明に関しては、本発明の範囲外であり、簡易化のためここでは省略される。ＴＳ２４．００８、ＴＳ３３．１０２、及びＴＳ２３．１２２仕様並びに／又はＷＣＤＭＡ技術の他の関連する仕様を参照する。
【００１５】
図４は、本発明の実施の形態に基づく不成功のアタッチ手順を示すメッセージシーケンス図である。図２と同様に、サービスネットワーク１２０は、ＷＣＤＭＡネットワークであり得、モバイル通信デバイス１１０は、ＴＳ２４．００８、ＴＳ３３．１０２、及びＴＳ２３．１２２仕様及び／又はＷＣＤＭＡ技術の他の関連した仕様に準拠したユーザー端末でもよい。また、モバイル通信デバイス１１０は、ＷＣＤＭＡ技術及び他の無線技術（例えばＧＳＭ技術）の仕様に準拠したユーザー端末でもよく、本発明はこれを限定するものではない。注意するのは、アタッチ手順は、モバイル通信デバイス１１０がオンにされた直後に、モバイル通信デバイス１１０をサービスネットワーク１２０に登録（ｒｅｇｉｓｔｅｒ）するように実行され、且つアタッチ手順は、完全性保護なしで実行される。アタッチ手順は、モバイル通信デバイス１１０がそこにＳＩＭ／ＵＳＩＭカードが挿入されていない、又は接続されていないのを検出した時、或いはサービスネットワーク１２０によって実行されるモバイル通信デバイス１１０の認証が成功しなかった時、完全性保護なしで実行され得る。アタッチ手順を開始するには、制御モジュール１１２は、無線モジュール１１１を介して完全性保護のないアタッチ要求メッセージをサービスネットワーク１２０に送信する（ステップＳ４１０）。アタッチ要求メッセージは、モバイル通信デバイス１１０に関する登録情報を含み得る。具体的に言えば、アタッチ要求メッセージは、ユーザー端末がモバイル通信サービスのサービスネットワークでパケットデータセッションを開始することを望むことを示している。アタッチ要求メッセージを受けた時、サービスネットワーク１２０は、アタッチメント要求を確認するが、アタッチメント要求を拒否することを決めるため、完全性保護のないアタッチ拒否（ＡＴＴＡＣＨ  ＲＥＪＥＣＴ）メッセージをモバイル通信デバイス１１０に返信する（ステップＳ４２０）。アタッチ拒否メッセージは、ＲＡ更新手順又はアタッチ手順に用いるリトライタイマＴ３３０２値に関する情報、及び拒否原因を含み得る。モバイル通信デバイス１１０が完全性保護のないアタッチ拒否メッセージを受けた時、１４分の長さの所定値をリトライタイマＴ３３０２に用いる代わりに、制御モジュール１１２は、アタッチ拒否メッセージに含まれたリトライタイマＴ３３０２値を直接用いる（ステップＳ４３０）ため、モバイル通信デバイス１１０は、より早く次のＲＡ更新手順又は次のアタッチ手順を行い、モバイル通信サービスを得る機会を有することができる。また、ステップＳ４３０では、アタッチ拒否メッセージに含まれたリトライタイマＴ３３０２値を直接用いる代わりに、制御モジュール１１２は、所定値を有するアタッチ拒否メッセージに含まれたリトライタイマＴ３３０２値を比較し、リトライタイマＴ３３０２のより小さい値を有する１つを選択し得る。また更には、ステップＳ４３０では、アタッチ拒否メッセージに含まれた値の代わりに、制御モジュール１１２は、リトライタイマＴ３３０２の所定の非ゼロ値を直接用いてもよく、所定の非ゼロ値は、初期値より小さく、確実により早く次のＲＡ更新手順又は次のアタッチ手順が行われるよう���する。
【００１６】
図５は、本発明の実施の形態に基づく周期的ＲＡ更新手順を示すメッセージシーケンス図である。図２と同様に、サービスネットワーク１２０は、ＷＣＤＭＡネットワークであり得、モバイル通信デバイス１１０は、ＴＳ２４．００８、ＴＳ３３．１０２、及びＴＳ２３．１２２仕様及び／又はＷＣＤＭＡ技術の他の関連した仕様に準拠したユーザー端末でもよい。また、モバイル通信デバイス１１０は、ＷＣＤＭＡ技術及び他の無線技術（例えばＧＳＭ技術）の仕様に準拠したユーザー端末でもよく、本発明はこれを限定するものではない。注意するのは、この実施の形態では、周期的ＲＡ更新手順は、図２に説明された成功したアタッチ手順後に実行され、且つ完全性保護のなしで実行される。周期的ＲＡ更新手順は、モバイル通信デバイス１１０によって起こされて、サービスネットワーク１２０のルーティングエリアの展開に関するその位置情報のサービスネットワーク１２０を知らせる。周期的ＲＡ更新手順を開始するには、制御モジュール１１２は、無線モジュール１１１を介して完全性保護のないルーティングエリア更新要求（Ｒｏｕｔｉｎｇ  Ａｒｅａ  Ｕｐｄａｔｅ  Ｒｅｑｕｅｓｔ）メッセージをサービスネットワーク１２０に送信する（ステップＳ５１０）。ルーティングエリア更新要求メッセージは、モバイル通信デバイス１１０が現在あるルーティングエリアの情報を含み得る。完全性保護のないルーティングエリア更新要求を受信した時、サービスネットワーク１２０は、完全性保護のないルーティングエリア更新受付（ＲＯＵＴＩＮＧ  ＡＲＥＡ  ＵＰＤＡＴＥ  ＡＣＣＥＰＴ）メッセージをモバイル通信デバイス１１０に返信する（ステップＳ５２０）。ルーティングエリア更新受付メッセージは、周期的ＲＡ更新タイマＴ３３１２値、及びＲＡ更新手順又はアタッチ手順に用いるリトライタイマＴ３３０２値に関する情報を含み得る。特にこの実施の形態において、周期的ＲＡ更新タイマＴ３３１２を停止（ｄｅａｃｔｉｖａｔｅ）にする場合のサービスネットワーク１２０では、情報は、周期的ＲＡ更新タイマＴ３３１２のゼロ値を表示するか、又は周期的ＲＡ更新タイマＴ３３１２の停止を表示するルーティングエリア更新受付メッセージに含まれる。モバイル通信デバイス１１０が完全性保護のないルーティングエリア更新受付メッセージを受信した時、制御モジュール１１２は、周期的ＲＡ更新タイマＴ３３１２値がルーティングエリア更新受付メッセージに含まれるかどうかを判定する（ステップＳ５３０）。ルーティングエリア更新受付メッセージに含まれている周期的ＲＡ更新タイマＴ３３１２値に応じて、ＷＣＤＭＡユーザー端末の従来の設計とは異なり、制御モジュール１１２は、先に受信したＰＳメッセージに表示された値を用いる代わりに、ルーティングエリア更新受付メッセージに含まれた周期的ＲＡ更新タイマＴ３３１２値を直接用いる（ステップＳ５４０）。即ち、制御モジュール１１２は、周期的ＲＡ更新タイマＴ３３１２のゼロ値を表示するか、又は周期的ＲＡ更新タイマＴ３３１２の停止を表示するルーティングエリア更新受付メッセージに応じて、周期的ＲＡ更新タイマＴ３３１２を停止する。よって、周期的ＲＡ更新タイマＴ３３１２に関する一致（ｃｏｎｓｉｓｔｅｎｃｙ）は、モバイル通信デバイス１１０とサービスネットワーク１２０との間で適切に維持される。
【００１７】
ステップＳ５４０に続き、ＷＣＤＭＡユーザー端末の従来の設計とは異なり、１４分の長さの所定値をリトライタイマＴ３３０２に用いる代わりに、制御モジュール１１２は、ルーティングエリア更新受付メッセージに含まれたリトライタイマＴ３３０２値を更に直接用いる（ステップＳ５５０）ため、モバイル通信デバイス１１０は、より早く次のＲＡ更新手順又は次のアタッチ手順を行い、モバイル通信サービスを得る機会を有することができる。また、ステップＳ５５０では、ルーティングエリア更新受付メッセージに含まれたリトライタイマＴ３３０２値を直接用いる代わりに、制御モジュール１１２は、所定値を有するルーティングエリア更新受付メッセージに含まれたリトライタイマＴ３３０２値を比較し、リトライタイマＴ３３０２のより小さい値を有する１つを選択し得る。また更には、ステップＳ５５０では、ルーティングエリア更新受付メッセージに含まれた値の代わりに、制御モジュール１１２は、リトライタイマＴ３３０２の所定の非ゼロ値を直接用いてもよく、所定の非ゼロ値は、初期値より小さく、確実により早く次のＲＡ更新手順又は次のアタッチ手順が行われるようにする。
【００１８】
図６は、本発明の実施の形態に基づく周期的ＲＡ更新手順を示すメッセージシーケンス図である。図５と同様に、周期的ＲＡ更新手順は、モバイル通信デバイス１１０によって、完全性保護のないルーティングエリア更新要求メッセージをサービスネットワーク１２０に送信する（ステップＳ５１０）し、完全性保護のないルーティングエリア更新受付メッセージをサービスネットワーク１２０から受信する（ステップＳ５２０）ことから開始される。この実施の形態において、ルーティングエリア更新受付メッセージは、リトライタイマＴ３３０２値のみに関する情報を含む。モバイル通信デバイス１１０が完全性保護のないルーティングエリア更新受付メッセージを受信した時、制御モジュール１１２は、周期的ＲＡ更新タイマＴ３３１２値がルーティングエリア更新受付メッセージに含まれるかどうかを判定する（ステップＳ５３０）。ルーティングエリア更新受付メッセージに含まれていない周期的ＲＡ更新タイマＴ３３１２値に応じて、ＷＣＤＭＡユーザー端末の従来の設計とは異なり、制御モジュール１１２は、周期的ＲＡ更新タイマＴ３３１２の初期値を用いる代わりに、周期的ＲＡ更新タイマＴ３３１２の所定の非ゼロ値を直接用いる（ステップＳ６１０）。特に、所定の非ゼロ値は、初期値より小さい。周期的ＲＡ更新タイマＴ３３１２の所定の非ゼロ値を用いることで、モバイル通信デバイス１１０は、より早く周期的ＲＡ更新手順を行い、通常のサービスを得る利点を与えられる。
【００１９】
Ｓ６１０に次いでＷＣＤＭＡユーザー端末の従来の設計とは異なり、１４分の長さの所定値をリトライタイマＴ３３０２に用いる代わりに、制御モジュール１１２は、ルーティングエリア更新受付メッセージに含まれたリトライタイマＴ３３０２値を更に直接用いる（ステップＳ６２０）ため、モバイル通信デバイス１１０は、より早く次の周期的ＲＡ更新手順又は次のアタッチ手順を行い、モバイル通信サービスを得る機会を有することができる。また、ステップＳ６２０では、ルーティングエリア更新受付メッセージに含まれたリトライタイマＴ３３０２値を直接用いる代わりに、制御モジュール１１２は、所定値を有するルーティングエリア更新受付メッセージに含まれたリトライタイマＴ３３０２値を比較し、リトライタイマＴ３３０２のより小さい値を有する１つを選択し得る。また更には、ステップＳ６２０では、ルーティングエリア更新受付メッセージに含まれた値の代わりに、制御モジュール１１２は、リトライタイマＴ３３０２の所定の非ゼロ値を直接用いてもよく、所定の非ゼロ値は、初期値より小さく、確実により早く次のＲＡ更新手順又は次のアタッチ手順が行われるようにする。
【００２０】
図７は、本発明の実施の形態に基づく不成功の周期的ＲＡ更新手順を示すメッセージシーケンス図である。図５と同様に、サービスネットワーク１２０は、ＷＣＤＭＡネットワークであり得、モバイル通信デバイス１１０は、ＴＳ２４．００８、ＴＳ３３．１０２、及びＴＳ２３．１２２仕様及び／又はＷＣＤＭＡ技術の他の関連した仕様に準拠したユーザー端末でもよい。また、モバイル通信デバイス１１０は、ＷＣＤＭＡ技術及び他の無線技術（例えばＧＳＭ技術）の仕様に準拠したユーザー端末でもよく、本発明はこれを限定するものではない。注意するのは、この実施の形態では、周期的ＲＡ更新手順は、図２に説明された成功したアタッチ手順後に実行され、且つ完全性保護のなしで実行される。周期的ＲＡ更新手順は、モバイル通信デバイス１１０によって起こされて、サービスネットワーク１２０のルーティングエリアの展開に関するその位置情報のサービスネットワーク１２０を知らせる。周期的ＲＡ更新手順を開始するには、制御モジュール１１２は、無線モジュール１１１を介して完全性保護のないルーティングエリア更新要求（Ｒｏｕｔｉｎｇ  Ａｒｅａ  Ｕｐｄａｔｅ  Ｒｅｑｕｅｓｔ）メッセージをサービスネットワーク１２０に送信する（ステップＳ７１０）。ルーティングエリア更新要求メッセージは、モバイル通信デバイス１１０が現在あるルーティングエリアの情報を含み得る。完全性保護のないルーティングエリア更新要求を受信した時、サービスネットワーク１２０は、ルーティングエリア更新要求を確認するが、ルーティングエリア更新要求を拒否するため、完全性保護のないルーティングエリア更新拒否メッセージをモバイル通信デバイス１１０に返信する（ステップＳ７２０）。ルーティングエリア更新拒否メッセージは、リトライタイマＴ３３０２値に関する情報、及び拒否原因を含み得る。モバイル通信デバイス１１０が完全性保護のないルーティングエリア更新拒否メッセージを受信した時、１４分の長さの所定値をリトライタイマＴ３３０２に用いる代わりに、制御モジュール１１２は、ルーティングエリア更新拒否メッセージに含まれたリトライタイマＴ３３０２値を直接用いる（ステップＳ７３０）ため、モバイル通信デバイス１１０は、より早く次のＲＡ更新手順又は次のアタッチ手順を行い、モバイル通信サービスを得る機会を有することができる。また、ステップＳ７３０では、ルーティングエリア更新拒否メッセージに含まれたリトライタイマＴ３３０２値を直接用いる代わりに、制御モジュール１１２は、所定値を有するルーティングエリア更新拒否メッセージに含まれたリトライタイマＴ３３０２値を比較し、リトライタイマＴ３３０２のより小さい値を有する１つを選択し得る。また更には、ステップＳ７３０では、ルーティングエリア更新拒否メッセージに含まれた値の代わりに、制御モジュール１１２は、リトライタイマＴ３３０２の所定の非ゼロ値を直接用いてもよく、所定の非ゼロ値は、初期値より小さく、確実により早く次のＲＡ更新手順又は次のアタッチ手順が行われるようにする。
【００２１】
図２〜図７に説明されたモバイル通信デバイスによって、モバイル通信デバイスとサービスネットワーク間の周期的ＲＡ更新タイマの不一致（ｉｎｃｏｎｓｉｓｔｅｎｃｙ）を解決し、且つ周期的ＲＡ更新手順の不適切な延長の問題を解決する以外に、本発明は、サービスネットワークによって、周期的ＲＡ更新タイマＴ３３１２を処理するのも提示し、偽のサービスネットワークによる悪意のある動作からモバイル通信デバイスを防ぐ。サービスネットワーク１２０がＷＣＤＭＡネットワークであり、モバイル通信デバイス１１０がＴＳ２４．００８、ＴＳ３３．１０２、及びＴＳ２３．１２２仕様及び／又はＷＣＤＭＡ技術の他の関連した仕様に準拠したユーザー端末であるとして例にとる。モバイル通信デバイス１１０から完全性保護のないアタッチ要求メッセージ又はルーティングエリア更新要求メッセージを受信した時、サービスネットワーク１２０は、周期的ＲＡ更新タイマＴ３３１２値の非ゼロ値及び非停止目的（ｎｏｎ−ｄｅａｃｔｉｖａｔｉｏｎ−ｉｎｔｅｎｄｅｄ）値を表示する情報を含むアタッチ受付メッセージ又はルーティングエリア更新受付メッセージを準備し、次いで、完全性保護のないアタッチ受付メッセージをモバイル通信デバイス１１０に返信し得る。モバイル通信デバイス１１０が完全性保護のないアタッチ受付メッセージ又はルーティングエリア更新受付メッセージを受信した時、制御モジュール１１２は、それに応じて、アタッチ受付メッセージ又はルーティングエリア更新受付メッセージに含まれた周期的ＲＡ更新タイマＴ３３１２値を用いることができる。もう１つの実施の形態では、周期的ＲＡ更新タイマＴ３３１２の他の値を含むＰＳメッセージがアタッチ受付メッセージ又はルーティングエリア更新受付メッセージの前に受信された場合、制御モジュール１１２は、先に受信したＰＳメッセージ、及びアタッチ受付メッセージ又はルーティングエリア更新受付メッセージに含まれた周期的ＲＡ更新タイマＴ３３１２の２つの値をそれぞれ比較し得る。注意するのは、先に受信したＰＳメッセージに含まれた周期的ＲＡ更新タイマＴ３３１２値も非ゼロ値及び非停止目的値であることである。比較結果に基づき、制御モジュール１１２は、周期的ＲＡ更新タイマＴ３３１２値のより小さい値を有する１つを用いることができる。非ゼロ値及び非停止目的値が周期的ＲＡ更新タイマＴ３３１２に用いられるため、モバイル通信デバイス１１０は、緊急サービスだけを得ることを強いられる代わりに、一般的なサービスを得る、より良い機会がある可能性がある。
【００２２】
図８は、本発明の実施の形態に基づくモバイル通信デバイスによって、完全性保護のないアタッチ手順中に周期的ＲＡ更新タイマを処理する方法を示す流れ図である。この実施の形態において、モバイル通信デバイスは、モバイル通信サービスを得るサービスネットワークに無線で接続される。サービスネットワークは、ＷＣＤＭＡシステムであり得、モバイル通信デバイスは、ＴＳ２４．００８、ＴＳ３３．１０２、及びＴＳ２３．１２２仕様及び／又はＷＣＤＭＡ技術の他の関連した仕様に準拠したユーザー端末でもよい。また、モバイル通信デバイスは、ＷＣＤＭＡ技術及び他の無線技術（例えばＧＳＭ技術）の仕様に準拠したユーザー端末でもよく、本発明はこれを限定するものではない。まず、モバイル通信デバイスは、サービスネットワークとのアタッチ手順を実行する。具体的に言えば、モバイル通信デバイスは、完全性保護のないアタッチ要求メッセージをサービスネットワークに送信する（ステップＳ８１０）。次いで、モバイル通信デバイスは、完全性保護のないアタッチ受付メッセージをサービスネットワークから受信する（ステップＳ８２０）し、アタッチ受付メッセージに含まれた周期的ＲＡ更新タイマの第１の値を直接用いる（ステップＳ８３０）。具体的に言えば、第１の周期的ＲＡ更新タイマは、ＷＣＤＭＡ技術のタイマＴ３３１２であり得る。注意するのは、アタッチ手順は、オンにされた直後に実行され、アタッチ受付メッセージは、サービスネットワークから受信した第１のＰＳメッセージである。よって、本方法は、アタッチ受付メッセージの第１の値を存在しない、先に受信したＰＳメッセージからのもう１つの値と比較することから、モバイル通信デバイスを防ぐため、ＷＣＤＭＡユーザー端末の従来の設計とは異なり、モバイル通信デバイスの動作が確定できないことがなくなる。もう１つの実施の形態において、ステップＳ８３０の前に、モバイル通信デバイスは、まず、アタッチ受付メッセージが周期的ＲＡ更新タイマ値を含むかどうかを判定することができ、ステップＳ８３０は、周期的ＲＡ更新タイマ値を含む場合のみ、実行される。そうでなければ、アタッチ受付メッセージが周期的ＲＡ更新タイマ値を含まない場合、モバイル通信デバイスは、周期的ＲＡ更新タイマの所定の非ゼロ値を直接用いることができ、所定の非ゼロ値は、周期的ＲＡ更新タイマの初期値より小さい。
【００２３】
アタッチ手順以外に、モバイル通信デバイスは、周期的ＲＡ更新手順を次いで実行する。更に明確にすると、モバイル通信デバイスは、完全性保護のないルーティングエリア更新要求メッセージをサービスネットワークに送信し、完全性保護のないルーティングエリア更新受付メッセージをサービスネットワークから受信する。周期的ＲＡ更新タイマの第２の値は、ルーティングエリア更新受付メッセージに含まれる。次に、モバイル通信デバイスは、ルーティングエリア更新受付メッセージに含まれた周期的ＲＡ更新タイマの第２の値を直接用いる。即ち、サービスネットワークが周期的ＲＡ更新タイマを停止し、且つ周期的ＲＡ更新タイマのゼロ値を表示するか、又は周期的ＲＡ更新タイマの停止を表示するルーティングエリア更新受付メッセージを準備したい場合、モバイル通信デバイス１１０は、ルーティングエリア更新受付メッセージを受信した時、周期的ＲＡ更新タイマを停止し得る。他の実施の形態において、周期的ＲＡ更新タイマの第２の値を直接用いる前に、モバイル通信デバイスは、まず、ルーティングエリア更新受付メッセージが周期的ＲＡ更新タイマ値を含むかどうかを判定することができ、且つ周期的ＲＡ更新タイマ値がルーティングエリア更新受付メッセージに含まれる場合のみ、周期的ＲＡ更新タイマの第２の値を直接用いる。そうでなければ、第１の周期的ＲＡ更新タイマ値がルーティングエリア更新受付メッセージに含まれない場合、モバイル通信デバイスは、周期的ＲＡ更新タイマの所定の非ゼロ値を直接用いることができ、所定の非ゼロ値は、周期的ＲＡ更新タイマの初期値より小さい。
【００２４】
注意するのは、図８では、サービスネットワークは、完全性保護のないＰＳメッセージの周期的ＲＡ更新タイマを処理することもでき、偽のサービスネットワークによる悪意のある動作からモバイル通信デバイスを防ぐ。更に明確にすると、モバイル通信デバイスから完全性保護のないアタッチ要求メッセージ、又は完全性保護のないルーティングエリア更新要求メッセージを受信した時、サービスネットワークは、周期的ＲＡ更新タイマ値の非ゼロ値及び非停止目的値を表示する情報を含むアタッチ受付メッセージ又はルーティングエリア更新受付メッセージを準備し、次いで、完全性保護のないアタッチ受付メッセージ又は完全性保護のないルーティングエリア更新受付メッセージをモバイル通信デバイスに返信し得る。非ゼロ値及び非停止目的値が周期的ＲＡ更新タイマに用いられるため、モバイル通信デバイスは、緊急サービスだけを得ることを強いられる代わりに、一般的なサービスを得る、より良い機会がある可能性がある。
【００２５】
図９は、本発明の実施の形態に基づくモバイル通信デバイスによって、完全性保護のないＲＡ更新手順又はアタッチ手順に用いるリトライタイマを処理する方法を示す流れ図である。図８と同様に、モバイル通信デバイスは、モバイル通信サービスを得るサービスネットワークに無線で接続され、アタッチ手順又はＲＡ更新手順が実行される。具体的に言えば、サービスネットワークは、ＷＣＤＭＡシステムであり得、モバイル通信デバイスは、ＴＳ２４．００８、ＴＳ３３．１０２、及びＴＳ２３．１２２仕様及び／又はＷＣＤＭＡ技術の他の関連した仕様に準拠したユーザー端末でもよい。また、モバイル通信デバイスは、ＷＣＤＭＡ技術及び他の無線技術（例えばＧＳＭ技術）の仕様に準拠したユーザー端末でもよく、本発明はこれを限定するものではない。まず、モバイル通信デバイスは、完全性保護のないアタッチ要求メッセージ又はルーティングエリア更新要求メッセージをサービスネットワークに送信し（ステップＳ９１０）、完全性保護のないアタッチ受付メッセージ又はルーティングエリア更新受付メッセージをサービスネットワークから受信する（ステップＳ９２０）。ＲＡ更新手順又はアタッチ手順に用いるリトライタイマ値は、アタッチ受付メッセージ又はルーティングエリア更新受付メッセージに含まれる。次いで、モバイル通信デバイスは、アタッチ受付メッセージ又はルーティングエリア更新受付メッセージに含まれたリトライタイマ値に直接用いるか、又はリトライタイマの所定の非ゼロ値を直接用い、所定の非ゼロ値は、リトライタイマの初期値より小さい（ステップＳ９３０）。具体的に言えば、リトライタイマは、ＷＣＤＭＡ技術のタイマＴ３３０２であり得、タイマＴ３３０２の初期値は、１４分の長さである。もう１つの実施の形態において、ステップＳ９３０の前に、モバイル通信デバイスは、アタッチ受付メッセージ又はルーティングエリア更新受付メッセージに含まれたリトライタイマ値を初期値と比較し、その値が初期値より大きい、又は初期値と同じ時、ＲＡ更新手順又はアタッチ手順に用いるリトライタイマの初期値を直接用いる。でなければ、その値が初期値より小さい場合、ステップＳ９３０が実行される。
【００２６】
この発明は種々の態様に関連して記述されているが、本発明はこれを限定するものではないことは理解される。本発明の精神及び範囲を逸脱しない限りにおいては、当業者であれば行い得る少々の変更や修飾を付加することが可能である。従って、本発明が請求する保護範囲は、特許請求の範囲を基準とする。
【符号の説明】
【００２７】
１００  モバイル通信環境
１１０  モバイル通信デバイス
１１１  無線モジュール
１１２  制御モジュール
１２０  サービスネットワーク
１２１  基地局
１２２  制御ノード
１２３  コアネットワーク
【図１】
2011234372.tif 000003
【図２】
2011234372.tif 000004
【図３】
2011234372.tif 000005
【図４】
2011234372.tif 000006
【図５】
2011234372.tif 000007
【図６】
2011234372.tif 000008
【図７】
2011234372.tif 000009
【図８】
2011234372.tif 000010
【図９】
2011234372.tif 000011
【外国語明細書】
2011234372000001.pdf
2011234372000002.pdf
2011234372000003.pdf
2011234372000004.pdf